(57)【要約】【課題】空気を吸い上げながら行う、ソムリエ等の行うテーステングを誰でも容易に行うことの出来る、テーステングの為の飲料用容器及び、以上の特徴を持つ低コストでの製造出来るストロータイプのテーステングの補助具【解決手段】飲料用容器の縁に、空気が通るのに十分な溝若しくは管等を持つ。ストロータイプのテーステングの補助具においては管の途中に穴若しくは切れ目を持つ事を特徴とする。【選択図】  図５
2005319261.tif 000002
【特許請求の範囲】
【請求項１】
管の途中に穴若しくは切れ目を持つ事を特徴とする、テーステングの補助具
【請求項２】
管の端より、中心部に向かう切り込みを持つことを特徴とした、テーステングの補助具
【請求項３】
飲料用容器の上部、飲料時に下唇と接触する部分より上部に、空気が通るのに十分な大きさの穴を、１つ若しくは複数もつ。かつ、その穴より、飲料時に下唇と接触する部分より下部の穴までに至る空洞部、若しくは空気が通るのに十分な大きさ管を、１つ若しくは複数持つことを特徴とした、テーステングの為の飲料用容器
【請求項４】
飲料用容器の上部、飲料時に下唇と接触する部分より上部から、飲料時に下唇と接触する部分より下部に至る、空気が通るのに十分な大きさの溝を、１つ若しくは複数もつことを特徴とした、テーステングの為の飲料用容器
【請求項５】
飲料用容器の上部、飲料時に下唇と接触する部分より上部から、飲料時に下唇に当たり、下唇と接触する部分より下部に至る、空気が通るのに十分な大きさの隙間を作ることの出来る突起を持つことを特徴とした、テーステングの為の飲料用容器
【発明の詳細な説明】
【発明の詳細な説明】
【発明に関する技術分野】
【００１】
【００２】本発明は、テーステングの為の容器及び補助具に関する。
【背景技術】
【００３】味は、舌の味蕾のみでなく、咀嚼時に口腔内の食べ物と空気が混ざり合うことにより、放つ香りを鼻腔で感じることにより、より多くの広がりを感じることができることはよく知られている。そのため、より積極的に物の味を楽しもうという場合、伝統的に無意識的に、あるいは意図的に、空気を吸い上げ、強制的に食べ物若しくは飲み物と混ぜ合わせ、より積極的に物の味を味わおうという行為がなされている。具体的には、前者は日本人が蕎麦を音を立てて啜る行為、後者はワインのテーステング等が挙げられる。しかしそれらの行為、例えば蕎麦を音を立てて啜る行為は日本人にとっては習慣的で何ら問題もなく無意識的にも行える行為であるが、そういった文化をもたない外国人にとっては、非常に困難である。逆にワインなどのテーステングにおいて、空気を吸い上げながら、音を立てて飲む飲み方はこの習慣がない一般の日本人にとっては非常に困難である。また、固形で広い表面積を持つ蕎麦等の麺類は、食べるときにスープ等の液体と共に音を立てて啜る行為のみで、麺及びスープ等の香りを十分に楽しむことが出来る。しかし液体のワイン等ではそうはいかない。音を立てて啜るだけでは、液体の上面を空気がかするだけで、十分に香りを立たせることが出来ない。そのため、飲む液体を一度口に含み、舌を丸めすぼめ空気を吸い上げることにより、液体の下に空気を送り込み、口腔内の空気と液体を循環させなければならず、無意識的にも行える蕎麦等の麺類等を音を立てて啜る行為とは違い、かなり意図的な面倒な行為が必要とされる。以上の課題を解決したテーステングの為のカップを、私たちは、平成１５年８月２４日に『テーステングカップ』という名称での特許出願を行った。その概略は、カップの上部、飲料時に下唇と接触する部分より上部から、飲料時に下唇と接触する部分より下部に至る、空気が通るのに十分な大きさの溝、若しくは空気が通るのに十分な大きさの穴より、飲料時に下唇と接触する部分より下部の穴までに至る空洞部、若しくは空気が通るのに十分な大きさ管をもつ事を特徴とした物である。この構造により、液体を飲むと同時に空気を下唇側、つまり液体の下から吸い込むことが出来、十分に口腔内の空気と液体を循環させることが出来る。そのため、簡単かつ手軽により多くの香りを感じることの出来る用にした物である。引き続き、平成１６年３月２０日に『テーステングの為の補助具』という名称での特許出願を行った。その概略は、従来の普通のカップであっても簡単な補助具を用いることにより、同じ効果を得ることを目的とした。構造的には、カップに取り付ける取り付けタイプの物として、空気が通るのに十分な溝若しくは管若しくは突起を有した部材で、カップの淵に取り付け取り外し可能な弾性を有するフックを持つ事を特徴とした物、及びストロータイプの物で、液体を吸い上げるための管とは別に、空気を吸い上げる為の管若しくは溝若しくは突起を有する事を特徴とする物を出願した。
【発明の開示】
【発明が解決しようとする課題】
【００４】以上のように、簡単にかつ手軽により多くの香りを感じることの出来るテーステングを行うためのカップ及び補助具を発明することが出来た。しかしその後、開封するだけで手軽に直接飲料を飲む事の出来る紙パック等の飲料用容器の存在に気がついた。しかしそれらの飲料を、前記の発明を用い、手軽にテーステングを行うためには、他のカップに移しかえる等の必要が有り面倒である。また、テースティングの補助具の内、ストロータイプの物において、試行錯誤の結果、わざわざ管とは別に、空気を吸い上げる為の管若しくは溝若しくは突起を持たなくとも、よりシンプルな構造で目的を達成できることが判明した。従い、わざわざ移し替なくとも直接手軽にテーステングの出来る飲料用容器及び、よりシンプルで製造の手間及びコストのかからないストロータイプのテーステングの補助具を供することを発明の課題とする。
【課題を解決するための手段】
【００５】最初の課題を解決するためには、飲料用容器の上部、飲料時に下唇と接触する部分より上部から、飲料時に下唇と接触する部分より下部に至る、空気が通るのに十分な大きさの溝を、１つ若しくは複数持つ、若しくは飲料用容器の上部、飲料時に下唇と接触する部分より上部に、空気が通るのに十分な大きさの穴を、１つ若しくは複数もつ。かつ、その穴より、飲料時に下唇と接触する部分より下部の穴までに至る空洞部、若しくは空気が通るのに十分な大きさ管を、１つ若しくは複数持つ。つまり原理的に『テーステングカップ』の時と全く同様なので、平成１５年８月２４日に『テーステングカップ』という名称での特許出願を行った時の特許請求の範囲の請求項の主語のカップを飲料用容器に取り替えただけの文章となる。次の課題に対しては、管の途中に穴若しくは切れ目を入れるだけで目的を達成できることが判明した。
【発明を実施するための最良の形態】
【実施例】
【００６】図１から図４までは、ストロータイプのテーステングの補助具の実施例。図１は、管の途中に穴を持つ事を特徴とする、テーステングの補助具の実施例。図２は、管の途中に、切れ目を持つ事を特徴とする、テーステングの補助具の実施例である。なを、実施例には直線で切れ目を入れているが、曲線若しくは直線と曲線との組あ合わせた物でも良い。また、実際試した結果、図２のように切れ目を入れただけでも空気は通るが、よりスムーズに空気を入れるために図３のように切れ目の一方を内側に折り曲げても結構である。図４は、管の端より、中心部に向かう切り込みを持つことを特徴とした、テーステングの補助具の実施例である。図５から図７までは、テーステングの為の飲料用容器の実施例である。図５は、飲料用容器の上部、飲料時に下唇と接触する部分より上部に、空気が通るのに十分な大きさの穴を持つ。かつ、その穴より、飲料時に下唇と接触する部分より下部の穴までに至る、空気が通るのに十分な大きさ管を持つことを特徴とした、テーステングの為の飲料用容器の実施例。図６は、飲料用容器の上部、飲料時に下唇と接触する部分より上部から、飲料時に下唇と接触する部分より下部に至る、空気が通るのに十分な大きさの溝を、持つことを特徴とした、テーステングの為の飲料用容器の実施例。図７は、飲料用容器の上部、飲料時に下唇と接触する部分より上部から、飲料時に下唇に当たり、下唇と接触する部分より下部に至る、空気が通るのに十分な大きさの隙間を作ることの出来る突起を持つことを特徴とした、テーステングの為の飲料用容器の実施例である。なお、実施例においては管若しくは溝若しくは突起は１つの物を実施例にあげたが、複数であっても良い。
【発明の効果】
飲料用容器に関しては、封を開け直接飲むことが出来、しかもワイン等の飲料の味及び香りを、ソムリエ等の行う特殊な飲み方を行うことなく、誰でもが容易に最大限に味わうことが出来る。ストロータイプのテーステングの補助具に関しては、ワイン等の飲料の味及び香りを、ソムリエ等の行う特殊な飲み方を行うことなく、誰でもが容易に最大限に味わうことが出来るのは上と同様だが、非常にシンプルな構造のため製造の手間及び原料がかからないため非常に低コストで製造出来る。
【図面の簡単な説明】図１から図４までは、ストロータイプのテーステングの補助具の吸い口側の図面である。図１は、管の途中に穴を持つ事を特徴としたテーステングの補助具の図面。図２は、管の途中に、切れ目を持つ事を特徴としたテーステングの補助具の図面。図３は、図２と同様管の途中に、切れ目を持つ事を特徴としたテーステングの補助具の図面であるが、切れ目の一方を内側に折り曲げた図面である。その状態を分かりやすくするため、一部断面図とした。図４は、管の端より、中心部に向かう切り込みを持つことを特徴とした、テーステングの補助具の図面である。図５から図７までは、テーステングの為の飲料用容器の図面である。図５は、飲料用容器の上部、飲料時に下唇と接触する部分より上部に、空気が通るのに十分な大きさの穴を持ち、かつその穴より、飲料時に下唇と接触する部分より下部の穴までに至る、空気が通るのに十分な大きさ管を持つことを特徴とした、テーステングの為の飲料用容器の図面。図６は、飲料用容器の上部、飲料時に下唇と接触する部分より上部から、飲料時に下唇と接触する部分より下部に至る、空気が通るのに十分な大きさの溝を、持つことを特徴とした、テーステングの為の飲料用容器の図面。図７は、飲料用容器の上部、飲料時に下唇と接触する部分より上部から、飲料時に下唇に当たり、下唇と接触する部分より下部に至る、空気が通るのに十分な大きさの隙間を作ることの出来る突起を持つことを特徴とした、テーステングの為の飲料用容器の図面である。
【図１】
2005319261.tif 000003
【図２】
2005319261.tif 000004
【図３】
2005319261.tif 000005
【図４】
2005319261.tif 000006
【図５】
2005319261.tif 000007
【図６】
2005319261.tif 000008
【図７】
2005319261.tif 000009